(57)【要約】      （修正有）【課題】ファッションを楽しむ用途への適応性を高め且つ、幼児用のフォークスプーン等を幼児用エプロンと共に携帯して母親の負荷を軽減する便利なおでかけ“おでかけ幼児用小物入れ付きベビーエプロン”を提供する。【解決手段】幼児の顎下から胸元にかけて覆うエプロン本体１０を柔軟性素材により形成し、エプロン本体１０の上部両側に、肩から背中側に回して先端部を接合する一対の係止部分２０、３０を有し、エプロン本体１０の下部の裏側に開閉具付きのポケット７０を設け、ポケット７０を裏返してそのポケット７０内にエプロン本体１０と係止部分２０、３０と幼児用小物を収容可能にしたことを特徴とする。【選択図】図１
0003203693.tif 000002
【実用新案登録請求の範囲】
【請求項１】
幼児の顎下から胸元にかけて覆うエプロン本体を柔軟性素材により形成し、エプロン本体の上部両側に、肩から背中側に回して先端部を接合する一対の係止部分を有し、エプロン本体の下部の裏側に開閉具付きのポケットを設け、前記ポケットを裏返してそのポケット内にエプロン本体と係止部分と幼児用小物を収容可能にしたことを特徴とするおでかけ幼児用小物入れ付きベビーエプロン。
【考案の詳細な説明】
【技術分野】
【０００１】  本考案は、赤ちゃんとの外出時に用意するととても便利な幼児用のフォーク、スプーン、箸、おしゃぶり、歯固めなどの小物入れ付きベビーエプロンに関するものである。
【背景技術】
【０００２】  乳幼児や幼児に食事させ、あるいは自分で食事する場合には食べこぼしによって衣服や床を汚すことが多い。そして、これを回避するためにエプロンをさせることが日常的に行われている。【０００３】  一般に、幼児用エプロンは、耐洗濯性や汚れにくさなどの機能性のほかに、外観の可愛らしさが要求され可愛らしさを表現する手段として、エプロンの布地の前面にマジックテープによって花や動物などを表したアップリケを取り付けることができるようにしたエプロンも存在する。
また機能的な要素としてエプロンの前面におしゃぶりなどを入れたり食べこぼしを収容するポケットを取り付けたエプロンが存在する。【０００４】  一方、幼児用小物の中で幼児は箸を使えないのでフォークやスプーンなどが必要となるが、幼児との外出の際、幼児用の食器を備えていない大人専用の飲食店などで食事をするような場合には、幼児にとっては使い勝手の悪い大人用の食器で食事をさせなければならないことがある。
またその他の幼児用小物として箸、おしゃぶり、歯固めなどがあるが、それらのいずれも別の応用又は専用の収容器に入れて用意している。
【考案の開示】
【考案が解決しようとする課題】
【０００５】  本考案は、このような実情に着目してなされたものであって、ファッションを楽しむ用途への適応性を高め且つ、幼児用のフォークやスプーンに限らず箸、おしゃぶり、歯固めなど等の幼児用小物を幼児用エプロンと共に携帯して母親の負荷を軽減する便利な“おでかけ幼児用小物入れ付きベビーエプロン”を提供する。
【課題を解決するための手段】
【０００６】前記課題を満足する本考案の技術的特徴とする手段は次の（１）の通りである。
（１）、幼児の顎下から胸元にかけて覆うエプロン本体を柔軟性素材により形成し、エプロン本体の上部両側に、肩から背中側に回して先端部を接合する一対の係止部分を有し、エプロン本体の下部の裏側に開閉具付きのポケットを設け、前記ポケットを裏返してそのポケット内にエプロン本体と係止部分と幼児用の小物を収容可能にしたことを特徴とするおでかけ幼児用小物入れ付きベビーエプロン。
前記おでかけ幼児用の小物としては特に限定されるものではないが、幼児用のスプーン、フォーク、箸、おしゃぶり、歯固めなどがあり、前記ケットはこれらを適宜入れ持ち運ぶポケットとしても利用できるものである。
【考案の効果】
【０００７】  本考案の“おでかけ幼児用小物入れ付きベビーエプロン”は、お出かけの際は、裏返しポケットの中にエプロン本体と係止部分とフォークスプーンなどを収容して開閉具を締めればコンパクトになり携帯可能にする便利性を備え、更に使用の際は前記ポケットからエプロン本体と係止部分を取り出しポケットを表返えして配置してベビーエプロンの裏面に配置することにより、部分に食べこぼしのゴミをキャッチできる。エプロン表面には適宜なデザインの動物、乗り物、漫画モンスター等を表示してそのファッション性を生かして楽しむことができる。そして食後は、フォークスプーンを忘れることなくポケットを裏返して収容し、しかも少しでも汚れたエプロン本体等は表を内側にしてポケット内に畳みながら収容し元のコンパクトな携帯バックに変身するなど、用途への適応性を高めた優れた作用効果を呈する。【０００８】  これらの作用効果により赤ん坊を持つお母さんは、外出時の外食あるいはピクニック等の食事の際の負担が大幅に軽減されるから、外での食事を兼ねた外出が躊躇することなく容易に可能となり楽しさも倍加するなどの副次効果も多く得られる。
【図面の簡単な説明】
【０００９】
【図１】本考案の“おでかけ幼児用小物入れ付きベビーエプロン”の実施例を示す表面説明図である。
【図２】図１に示す“おでかけ幼児用小物入れ付きベビーエプロン”例の裏面説明図である。
【図３】図１に示す“おでかけ幼児用小物入れ付きベビーエプロン”例のポケットのチャックを開けてポケット裏返してエプロン本体の表面側を示す説明図である。この状態ではポケットは、内部に食べこぼしのゴミをキャッチできる。
【図４】図３の状態からポケット内にエプロン本体と係止部分を折り込んでプーンフォークを装入した状態を示す説明図である。
【図５】図４の状態からポケットのチャックを締めて携帯可能にした状態の説明図である。
【考案を実施するための形態】
。
【００１０】本考案を実施するための形態は、実施例（：具体例）により詳細に説明する。
【実施例】
【００１１】  図１〜図５において、本実施例のおでかけ幼児用小物入れ付きベビーエプロン１００（以下単にベビーエプロン１００と称する）は、幼児の顎下から胸元にかけて覆うエプロン本体１０と、エプロン本体１０の上部両側に幼児の肩から背中側に回して先端部を接合する一対の係止部分２０、３０と、エプロン本体１０の下部の裏側に開閉具付きで裏返すとエプロン本体１０と係止部分２０、３０と、幼児用小物の一例として、フォーク５０とスプーン６０を収容可能にしたポケット７０とから構成し、これらを柔軟性素材により形成してある。【００１２】  前記柔軟性素材としては、好ましくは撥水加工されたポリエステル、綿、ＰＶＣなど適宜な素材を用いる。【００１３】  前記エプロン本体１０の表面には適宜なデザインの動物、乗り物、花、漫画モンスター等を印刷又は表示したアップリケを装着してそのファッション性を生かして楽しむことができる。又エプロン本体１０縁部は綻び防止や変形防止の縁取り１０Ｓをして補強してある【００１４】  前記一対の係止部分２０、３０は先端部にマジックテープ（商標）ＭＴ等を装着し、掛け外しを容易にしてあるが本例に限定されない。【００１５】  前記ポケット７０は、形状は限定されないが、エプロン本体１０と係止部分２０、３０とフォーク５０とスプーン６０を収容可能な容量のものにすればよい。また開閉具はファスナー４０を使用しているが本例に限定されず、その他マジックテープ（商標）弾性磁石、ホック等がある。【００１６】  前記フォーク５０とスプーン６０の材質は特に限定されないが、樹脂製の軽いそして安全形状のものにすればよい。【００１７】次に本例のおでかけ幼児用小物入れ付きベビーエプロン１００の取り扱いを説明する。
携帯用にコンパクトにポケットに収容する手順例は次の通りである。
（ａ）、図１に示すようにベビーエプロン１００を広げる。
（ｂ）、次に図２に示すようにベビーエプロン１００を裏面にしてポケット７０側を出す。
（ｃ）、次に図３に示すようにポケット７０のファスナー４０を開けてポケット７０を裏返す。この状態では食事の際、ポケット内部に食べこぼしのゴミをキャッチできる。
（ｄ）、次に図４に示すように裏返したポケット７０内にプロン本体１０をその表面を合わせ面にして二つ折りにし係止部分２０、３０をその肩部をエプロン本体１０の裏面に合わせて折り込み、係止部分２０、３０の表面上にスプーン５０とフォーク６０並べて入れる。
（ｅ）、最後に図５示すように裏返したポケット６０のファスナー４０を締めて携可能状態にコンパクトな形にする。
（ｆ）、図５に示す状態からベビーエプロン１００を使用状態にするには、前記の（ｅ）〜（ｂ）の逆順を行って、ポケット７０からスプーン５０とフォーク６０と係止部分２０、３０とエプロン本体１０を取り出し図１に示す状態にして使用する
但し、この手順は１例であり、適宜臨機応変で効率の良い手順を自由に設定して行えばよい。
【産業上の利用可能性】
【００１７】  本考案のおでかけ幼児用小物入れ付きベビーエプロンは前記したすぐれた作用効果を呈する為、一般家庭は勿論保育所などで活用されベビーグッズ産業界に貢献すること多大なものがある。
【符号の説明】１００：ベビーエプロン
１０：エプロン本体
１０Ｓ：縁取り
２０、３０：係止部分
４０：ファスナー
５０：フォーク
６０：スプーン
７０：ポケット
ＭＴ：マジックテープ
【図１】
0003203693.tif 000003
【図２】
0003203693.tif 000004
【図３】
0003203693.tif 000005
【図４】
0003203693.tif 000006
【図５】
0003203693.tif 000007